(57)【要約】      （修正有）【課題】雨を凌いだり、夏季の陽ざしの遮蔽率を高め、利用者に快適な環境と空間を提供する構造と形状を持ち合わせ、また、利用者の動線方向や設置向きに左右されず、機能性の向上を図ったパーゴラ（藤棚）を提供する。【解決手段】Ｚ型又はＳ型のように腕部の付いた雨受け落とし可能な断面形状、東西方向の適度な角度、隣同士が水平投影上、適度に重なる配置、及び、概ね南北方向の勾配を有するルーバー４を有する。夏季の陽ざしの遮蔽率を向上するために、角度が概ね西側に向け設置される。柱６の平面位置が変動しても、夏季の陽ざしの遮蔽率の向上を図れ、利用者の円滑な動線の確保が出来るよう、平面形状が円形である桁５を有する。【選択図】図２
0003209959.tif 000002
【実用新案登録請求の範囲】
【請求項１】
雨水が下方に落下するのを受け止めるため、ルーバーの断面形状をＺ型（図１０）またはＳ型（図１１）のように腕部の付いた雨受け落とし形状（符合３０）にする。
ルーバー面の角度は適度に上方に向ける。
また、雨水がルーバー腕部の付いた雨受け落とし形状部（符合３０）から、下方に落下するのを受け止めるため、ルーバー腕部から落ちる雨（符号３１，３３）を隣のルーバー腕部の付いた雨受け落とし形状部（符合３０）で受止められるよう、ルーバー同士の間隔を水平投影上適度に重ねて（符号３５，３６）配置する。
更に腕部の付いた雨受け落とし形状部（符合３０）で受けた雨水（符号３２，３４）が下方に落下しにくいよう、ルーバーに適度の勾配を概ね南北方向（符号２，３，１０，３９，４０）につける。
【請求項２】
夏季の陽ざしの遮蔽率を向上するために、ルーバー面の向きは概ね西側（符号４，１３）に向ける。
【請求項３】
柱位置に左右されず（符号１６，２５，２７）、上記請求項４の機能性を低下しないで、利用者の動線（符号２０，２６，２８）の円滑を図るため、桁の平面形状を円形（符号１７）にする。
【考案の詳細な説明】
【考案の詳細な説明】
【技術分野】
【０００１】本考案は、ルーバーの形状をＺ型（図１０）若しくはＳ型（図１１）にし（雨受け落とし形状（符合３０））、それを平面的に適度に（符号３５，３６）重ねたり、ルーバーの方向（符号４，１３）、角度、勾配（符号２，３，１０，３９，４０）を考慮し、桁と組み合わせることによって、雨や夏場の陽射しを制限したり、天候や季節に順応させ利用者に良好な環境を提供する為の休憩施設に関するものです。
また、桁の平面形状を円形（符号１７）にすることによって、上記機能性を低下させずに、利用者の動線の円滑を図ることも出来る休憩施設に関するものです。
【背景技術】
【０００２】従来、公園等に設置してあるパーゴラ（藤棚）は、降雨を凌いだり（図２４）、夏季の陽射しの遮蔽率の向上を図る構造と形状と言えるものではなかった（図２５）。
具体的に  従来の休憩施設では、
１  種別ごとの問題点
▲１▼パーゴラや藤棚、雨等の浸入を防ぐ目的を持たない休憩施設
▲２▼完全に屋根をかけた四阿やシェルター
に大別されており、
▲１▼のパーゴラや休憩施設においては、雨をしのげず、夏場の陽射しも制限できるものばかりでは、なかった。藤棚においては、陽射しは、ある程度、制限できるが、ふじ（植物）や、ふじにむらがる蜂等の管理上の問題が発生していた。
▲２▼においては、屋根構造であるため（図２６）、施工手間がかかったり、建築物と見なされ素材の制約をうける場合があった。
２  夏季（１０時〜１６時）、時間別太陽方位と太陽角度から分かる問題点
▲１▼施設の一般利用時間（夏季６月２０日〜８月２０日）と思われる１２時〜１６時において、太陽方位が南を通過する正午前後は太陽角度が約７０〜８０度（図１９，２１，２３）程度であるため、施設の真下において、７〜８割程度の日影が期待できる。
▲２▼気温は正午前後から１６時頃まで高く暑さを感じる。その１６時頃の太陽方位は概ね西側（図１８，２０，２２）となり、その時の太陽角度は約３５〜４５度（図１９，２１，２３）程度である。
要するに桁下から入射する陽射し（西日）は桁下高さよりも長い平面距離分、差し込むことになるため、東西方向に短いパーゴラ（藤棚）は陽射しの遮蔽効果が低いことになる（図１９，２１，２３）。
３  施設の配置（向き）と利用者の動線との相関においての問題点
利用者の動線方向がルーバーの向き（陽射しの遮蔽効果を低下させない向き）と概ね同方向（図２７）であれば良いが、動線方向がルーバーの向きと（陽射しの遮蔽効果を低下させるほど）ずれた場合、
▲１▼陽射しの遮蔽効果を優先すると、柱が動線に重複してしまう（図２８）
▲２▼あるいは柱位置を移動しても、柱に準じて上部部材（桁、梁、ルーバー）を組み上げた結果、陽射しの遮蔽効果を得られなくなっている（図２９）
▲３▼陽射しの遮蔽効果を低下させないで（ルーバーを概ね西側に向ける）、柱を動線に合わせて移動すると、桁も平面上中途半端に斜め向きに装着され、桁より上部部材の構造が不安定になるのと、見た目のバランスが良くない。（図３０）
等の問題点を抱えていた。
【考案が解決しようとする課題】
【０００３】  本発明は、これらの問題点を解決するために考案されたものである。
【課題を解決する為の手段】
【０００４】１  ルーバーの断面形状をＺ型（図１０）またはＳ型（図１１）のように腕部の付いた雨受け落とし形状（符合３０）にする。
２  上記１のルーバー腕部（符号３１，３３）から落ちる雨を隣のルーバー腕部で受け止められるよう、ルーバー同士の間隔を水平投影上適度に重ねて（符号３５，３６）配置する。
３  雨水が下方に落下するのを受け止めるため、上記請求項１の断面形状のルーバーで受けた雨水（符号３２，３４）が下方に落下しにくいよう、ルーバーに適度の勾配を概ね南北方向（符号２，３，１０，３９，４０）につける。
４  ルーバー面の向きは概ね西側（符号４，１３）に向ける。ルーバー面の角度は適度に上方に向ける。
５  パーゴラ自体の平面長さを桁下高さより、出来るだけ長く概ね東西方向にとるようにする。（図１，２）
６  柱位置に左右されず（符号１６，２５，２７）、上記請求項４の機能性を低下しないで、利用者の動線（符号２０，２６，２８）の円滑を図るため、桁の平面形状を円形（符号１７）にする。（図３１）
本考案は、以上の構成よりなる、全天候対応型パーゴラである。
【考案を実施するための最良の形態】
【０００５】  本案は、
１  風雨等の浸入を防ぐため、ルーバーの断面形状をＺ型（図１０）またはＳ型（図１１）のように雨受け落とし形状（符合３０）にし、それを水平投影上適度に重ねて（符号３５，３６）配置する。
ルーバーで受けた雨水（符号３２，３４）が下方に落下しにくいよう、ルーバーに勾配（概ね南北方向）をつける（符号２，３，１０，３９，４０）。
２  パーゴラ自体の平面長さを桁下高さより、出来るだけ長く概ね東西方向にとるようにする。（図１，２）
３  利用者の動線方向がルーバーの向きと（陽射しの遮蔽効果を低下させるほど）ずれた場合（図２９）、桁の平面形状を円形にする。（図３１）【０００６】なお、本考案の実施に当たって次の如きことができる。
イ  屋根構造ではないのに、概ね雨が凌げる。また夏季の気温が上昇する時間帯の日差しを制限することによって快適な空間の提供が期待できる。
ロ  四阿、シェルターのように屋根構造ではないので、施工手間が短縮出来、素材の制約をうけにくい。
ハ  設置場所や向きに左右されることなく、利用者の円滑な動線が図れる（柱位置の変動に対応可能）。
【考案の効果】
【０００７】したがって、季節や天候に応じて、休憩施設内で快適な環境を作ることができる。
【図面の簡単な説明】
【図１】本考案の平面図（長方形タイプ）
【図２】本考案の立面図（長方形タイプ）
【図３】本考案の断面図（長方形タイプ）
【図４】本考案の平面図（円形タイプ）
【図５】本考案の立面図（円形タイプ）
【図６】本考案の平面図（桁円形タイプ、柱位置が東西南北から４５度移動）
【図７】本考案の断面図（桁円形タイプ、柱位置が東西南北から４５度移動）
【図８】本考案の平面図（桁円形タイプ、柱位置が東西南北方向）
【図９】本考案の平面図（桁円形タイプ、柱位置が東西南北から６０度移動）
【図１０】ルーバー（Ｚ型形状）の断面図
【図１１】ルーバー（Ｓ型形状）の断面図
【図１２】雨受けの機能を説明するための、ルーバー（Ｚ型形状）の拡大断面図
【図１３】雨受けの機能を説明するための、ルーバー（Ｓ型形状）の拡大断面図
【図１４】雨受けの機能（水平投影上の重ねしろ）を説明するための、ルーバー（Ｚ型形状）の拡大断面図
【図１５】雨受けの機能（水平投影上の重ねしろ）を説明するための、ルーバー（Ｓ型形状）の拡大断面図
【図１６】ルーバー（Ｚ型形状）の拡大平面図
【図１７】ルーバー（Ｓ型形状）の拡大平面図
【図１８】１０時と１６時の太陽方位（大阪、６月２０日前後）
【図１９】１２時から１６時までの太陽入射角度（大阪、６月２０日前後）
【図２０】１０時と１６時の太陽方位（大阪、７月２０日前後）
【図２１】１２時から１６時までの太陽入射角度（大阪、７月２０日前後）
【図２２】１０時と１６時の太陽方位（大阪、８月２０日前後）
【図２３】１２時から１６時までの太陽入射角度（大阪、８月２０日前後）
【図２４】従来パーゴラの課題イラストー１
【図２５】従来パーゴラの課題イラストー２
【図２６】従来四阿の課題イラスト
【図２７】利用者の動線（園路等）がルーバーの向きと概ね直角、平行方向の場合と柱位置を説明する状況図
【図２８】利用者の動線（園路等）がルーバーの向きと概ね直角、平行方向から角度がずれた場合と柱位置を説明する状況図
【図２９】上記図２８の対策とそれに伴う課題を説明する状況図
【図３０】上記図２９の課題に対する更なる対策とそれに伴う更なる課題を説明する状況図
【図３１】上記図３０の課題に対する更なる対策とその結果得られる効果を説明する状況図
【符号の説明】１    ルーバー
２    雨水を流すための勾配の向き
３    雨水を流すための勾配の向き
４    ルーバー
５    桁
６    柱
７    ルーバー
８    桁
９    柱
１０  雨水を流すための勾配の向き
１１  桁（円形タイプ）
１２  ルーバー（ルーバー長変動、桁円形タイプ）
１３  ルーバー（ルーバー長変動、桁円形タイプ）
１４  桁（ルーバー長変動、桁円形タイプ）
１５  柱（ルーバー長変動、桁円形タイプ）
１６  柱（ルーバー同寸、桁円形タイプ）
１７  桁（ルーバー同寸、桁円形タイプ）
１８  梁（ルーバー同寸、桁円形タイプ）
１９  ルーバー（ルーバー同寸、桁円形タイプ）
２０  利用者の動線方向（パターン１）
２１  柱（ルーバー同寸、桁円形タイプ）
２２  桁（ルーバー同寸、桁円形タイプ）
２３  梁（ルーバー同寸、桁円形タイプ）
２４  ルーバー（ルーバー同寸、桁円形タイプ）
２５  柱（ルーバー同寸、桁円形タイプ）
２６  利用者の動線方向（パターン２）
２７  柱（ルーバー同寸、桁円形タイプ）
２８  利用者の動線方向（パターン３）
２９  Ｚ型形状のルーバー本体
３０  Ｚ型形状のルーバーの腕部（雨受け落とし部）
３１  Ｚ型形状のルーバーでの雨水が落ちる向き
３２  Ｚ型形状のルーバーの腕部（雨受け落とし部）に雨水が溜まった状態
３３  Ｓ型形状のルーバーでの雨水が落ちる向き
３４  Ｓ型形状のルーバーの腕部（雨受け落とし部）に雨水が溜まった状態
３５  水平投影上適度に重ねるルーバー同士の間隔（Ｚ型形状のルーバー）
３６  水平投影上適度に重ねるルーバー同士の間隔（Ｓ型形状のルーバー）
３７  Ｚ型形状のルーバー（平面）
３８  Ｚ型形状のルーバーにおける、雨水を流すための勾配の向き
３９  Ｓ型形状のルーバー（平面）
４０  Ｓ型形状のルーバーにおける、雨水を流すための勾配の向き
【図１】
0003209959.tif 000003
【図２】
0003209959.tif 000004
【図３】
0003209959.tif 000005
【図４】
0003209959.tif 000006
【図５】
0003209959.tif 000007
【図６】
0003209959.tif 000008
【図７】
0003209959.tif 000009
【図８】
0003209959.tif 000010
【図９】
0003209959.tif 000011
【図１０】
0003209959.tif 000012
【図１１】
0003209959.tif 000013
【図１２】
0003209959.tif 000014
【図１３】
0003209959.tif 000015
【図１４】
0003209959.tif 000016
【図１５】
0003209959.tif 000017
【図１６】
0003209959.tif 000018
【図１７】
0003209959.tif 000019
【図１８】
0003209959.tif 000020
【図１９】
0003209959.tif 000021
【図２０】
0003209959.tif 000022
【図２１】
0003209959.tif 000023
【図２２】
0003209959.tif 000024
【図２３】
0003209959.tif 000025
【図２４】
0003209959.tif 000026
【図２５】
0003209959.tif 000027
【図２６】
0003209959.tif 000028
【図２７】
0003209959.tif 000029
【図２８】
0003209959.tif 000030
【図２９】
0003209959.tif 000031
【図３０】
0003209959.tif 000032
【図３１】
0003209959.tif 000033
【手続補正書】
【提出日】平成29年1月26日(2017.1.26)
【手続補正１】
【補正対象書類名】実用新案登録請求の範囲
【補正対象項目名】全文
【補正方法】変更
【補正の内容】
【実用新案登録請求の範囲】
【請求項１】
Ｚ型又はＳ型のように腕部の付いた雨受け落とし可能な断面形状、東西方向の適度な角度、隣同士が水平投影上、適度に重なる配置、及び、概ね南北方向の勾配を有するルーバーを有することを特徴とするパーゴラ。
【請求項２】
夏季の陽ざしの遮蔽率を向上するために、前記角度が概ね西側に向け設置される、請求項１に記載のパーゴラ。
【請求項３】
柱の平面位置が変動しても、夏季の陽ざしの遮蔽率の向上を図れ、利用者の円滑な動線の確保が出来るよう、平面形状が円形である桁を有する、請求項１に記載のパーゴラ。
【手続補正２】
【補正対象書類名】明細書
【補正対象項目名】０００４
【補正方法】変更
【補正の内容】
【０００４】１  ルーバーの断面形状をＺ型（図１０）またはＳ型（図１１）のように腕部の付いた雨受け落とし形状（符合３０）にする。
２  上記１のルーバー腕部（符号３１，３３）から落ちる雨を隣のルーバー腕部で受け止められるよう、ルーバー同士の間隔を水平投影上適度に重ねて（符号３５，３６）配置する。
３  雨水が下方に落下するのを受け止めるため、上記請求項１の断面形状のルーバーで受けた雨水（符号３２，３４）が下方に落下しにくいよう、ルーバーに適度の勾配を概ね南北方向（符号２，３，１０，３９，４０）につける。
４  ルーバー面の向きは概ね西側（符号４，１３）に向ける。ルーバー面の角度は適度に上方に向ける。
５  パーゴラ自体の平面長さを桁下高さより、出来るだけ長く概ね東西方向にとるようにする。（図１，２）
６  柱位置に左右されず（符号１６，２５，２７）、上記請求項４の機能性を低下しないで、利用者の動線（符号２０，２６，２８）の円滑を図るため、桁の平面形状を円形（符号１７）にする。（図３１）
【手続補正３】
【補正対象書類名】明細書
【補正対象項目名】０００６
【補正方法】変更
【補正の内容】
【０００６】イ  屋根構造ではないのに、概ね雨が凌げる。また夏季の気温が上昇する時間帯の日差しを制限することによって快適な空間の提供が期待できる。
ロ  四阿、シェルターのように屋根構造ではないので、施工手間が短縮出来、素材の制約をうけにくい。
ハ  設置場所や向きに左右されることなく、利用者の円滑な動線が図れる（柱位置の変動に対応可能）。